(57)【要約】  照明器具（１００）は、発光面（１１Ａ）が表面側に設けられた照明パネル（１０Ａ）および透明スペーサーパネル（３１Ａ）を含む第１層（１０）と、発光面（２１Ａ）が表面側に設けられた照明パネル（２０Ａ）および透明スペーサーパネル（３２Ａ）を含む第２層（２０）とを備え、第２層（２０）は、第１層（１０）の裏面側に配置され、第１層（１０）および第２層（２０）は、照明パネル（２０Ａ）と透明スペーサーパネル（３１Ａ）とが発光面（１１Ａ）側から見て重なるように配置され、照明パネル（２０Ａ）から出射された光は、透明スペーサーパネル（３１Ａ）を透過する。
2013077232.tif 000002
【特許請求の範囲】
【請求項１】
第１発光面が表面側に設けられた第１照明パネル、および、第１透明スペーサーパネルを含み、前記第１照明パネルおよび前記第１透明スペーサーパネルが並んで配置されることによって全体として面状に構成された第１層と、
第２発光面が表面側に設けられた第２照明パネル、および、第２透明スペーサーパネルを含み、前記第２照明パネルおよび前記第２透明スペーサーパネルが並んで配置されることによって全体として面状に構成された第２層と、を備え、
前記第２層は、前記第１層の裏面側に配置され、
前記第１層および前記第２層は、前記第２照明パネルと前記第１透明スペーサーパネルとが前記第１発光面側から見て重なるように配置され、前記第２照明パネルから出射された光が前記第１透明スペーサーパネルを透過することを特徴とする、
照明器具。
【請求項２】
前記第１照明パネルは、前記第１照明パネルに給電するための電極部を前記第１照明パネルの外縁部に有し、
前記電極部は、光透過性を有し、
前記第２照明パネルから出射された光が前記電極部を透過することを特徴とする、
請求項１に記載の照明器具。
【請求項３】
前記第１照明パネルは、前記第１照明パネルの内部に設けられる部材を封止する封止部材を有し、
前記封止部材は、光透過性を有し、
前記第２照明パネルから出射された光が前記封止部材を透過することを特徴とする、
請求項１または２のいずれかに記載の照明器具。
【請求項４】
前記第１透明スペーサーパネル上には、前記第１照明パネルと他の機器とを互いに電気的に接続する接続配線が設けられることを特徴とする、
請求項１から３のいずれかに記載の照明器具。
【請求項５】
前記接続配線は、導電性を有する剛性材料から成るメッシュ状の部材であることを特徴とする、
請求項４に記載の照明器具。
【請求項６】
前記第１照明パネルおよび前記第１透明スペーサーパネルは、透明性を有する基板上に載置され、
前記基板の表面のうちの前記第１照明パネルおよび前記第１透明スペーサーパネルが載置される側とは反対側の表面には、光拡散性を有する拡散面が設けられることを特徴とする、
請求項１から５のいずれかに記載の照明器具。
【請求項７】
前記第２照明パネルおよび前記第２透明スペーサーパネルは、透明性を有する他の基板上に載置され、
前記他の基板の表面のうちの前記第２照明パネルおよび前記第２透明スペーサーパネルが載置される側とは反対側の表面には、光拡散性を有する他の拡散面が設けられることを特徴とする、
請求項１から６のいずれかに記載の照明器具。
【請求項８】
前記第１照明パネルおよび前記第２照明パネルは、非発光部を各々の外縁部に有し、
前記第１層および前記第２層は、前記第１照明パネルにおける前記非発光部と前記第２照明パネルにおける前記非発光部とが前記第１発光面側から見て重なるように配置されることを特徴とする、
請求項１から７のいずれかに記載の照明器具。
【請求項９】
前記第１照明パネルおよび前記第２照明パネルは、非発光部を各々の外縁部に有し、
前記第１層および前記第２層は、前記第１照明パネルにおける前記非発光部と前記第２照明パネルにおける前記非発光部とが前記第１照明パネルの前記第１発光面側から見て重ならないように配置されていることを特徴とする、
請求項１から７のいずれかに記載の照明器具。
【請求項１０】
前記第１照明パネルおよび前記第２照明パネルは、夫々の前記非発光部の内側に形成される発光部を有し、
前記第２照明パネルは、前記第１透明スペーサーパネルより幅広であり、
前記第１層および前記第２層は、前記第２照明パネルの前記発光部の外端部と前記第１透明スペーサーパネルと隣接する前記第１照明パネルの前記非発光部とが前記第１発光面側から見て重なるように配置されることを特徴とする、
請求項９に記載の照明器具。
【請求項１１】
前記第１照明パネルおよび前記第２照明パネルは、夫々の前記非発光部の内側に形成される発光部を有し、
前記第１透明スペーサーパネルは、前記第２照明パネルより幅広であり、
前記第１透明スペーサーパネルの両端部と前記第２照明パネルの前記非発光部とが前記第１発光面側から見て重なるように配置されることを特徴とする、
請求項９に記載の照明器具。
【請求項１２】
前記第１照明パネルおよび前記第２照明パネルは、夫々、有機ＥＬ層を含むことを特徴とする、
請求項１から１１のいずれかに記載の照明器具。
【発明の詳細な説明】
【技術分野】
【０００１】
本発明は、複数の照明パネルを備える照明器具に関する。
【背景技術】
【０００２】
照明装置における発光面積の大型化を図るためには、単一の照明パネルを用いる場合と複数の照明パネルを用いる場合とが考えられる。単一の照明パネルを用いる場合、輝度ムラ等の無い高品質な照明パネルを得る必要がある。この場合、高性能を有し且つ大型の製造装置が必要となるため、製造費用が増大する。【０００３】
これに対して、特開２００４−２５１９８１号公報（特許文献１）および特開２００８−２７７４６２号公報（特許文献２）に開示されるように、複数の照明パネルを用いて発光面積の大型化を図る照明器具が知られている。一般的に、照明装置における発光面積の大型化を図ることは、複数の照明パネルを用いる場合の方が、単一の照明パネルを用いる場合に比べて安価且つ容易に実現することが可能である。
【先行技術文献】
【特許文献】
【０００４】
【特許文献１】特開２００４−２５１９８１号公報
【特許文献２】特開２００８−２７７４６２号公報
【発明の概要】
【発明が解決しようとする課題】
【０００５】
本発明は、複数の照明パネルを用いて発光面積を大型化する場合であっても、単位面積当たりの発光効率を向上させることが可能な構造を備える照明装置を提供することを目的とする。
【課題を解決するための手段】
【０００６】
本発明に基づく照明器具は、第１発光面が表面側に設けられた第１照明パネル、および、第１透明スペーサーパネルを含み、上記第１照明パネルおよび上記第１透明スペーサーパネルが並んで配置されることによって全体として面状に構成された第１層と、第２発光面が表面側に設けられた第２照明パネル、および、第２透明スペーサーパネルを含み、上記第２照明パネルおよび上記第２透明スペーサーパネルが並んで配置されることによって全体として面状に構成された第２層と、を備え、上記第２層は、上記第１層の裏面側に配置され、上記第１層および上記第２層は、上記第２照明パネルと上記第１透明スペーサーパネルとが上記第１発光面側から見て重なるように配置され、上記第２照明パネルから出射された光が上記第１透明スペーサーパネルを透過することを特徴とする。
【発明の効果】
【０００７】
本発明によれば、複数の照明パネルを用いて発光面積を大型化する場合であっても、単位面積当たりの発光効率を向上させることが可能な構造を備える照明装置を得ることができる。
【図面の簡単な説明】
【０００８】
【図１】実施の形態１における照明装置を示す平面図である。
【図２】図１中におけるＩＩ−ＩＩ線に沿った矢視断面図である。
【図３】実施の形態１における照明装置に用いられる照明パネルを示す平面図である。
【図４】図３中におけるＩＶ−ＩＶ線に沿った矢視断面図である。
【図５】実施の形態１における照明装置が駆動されている際の様子を示す断面図である。
【図６】実施の形態１における照明装置に対する比較例としての照明装置を示す断面図である。
【図７】実施の形態２における照明装置を示す断面図である。
【図８】実施の形態３における照明装置を示す断面図である。
【図９】実施の形態４における照明装置を示す平面図である。
【発明を実施するための形態】
【０００９】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１０】
［実施の形態１］
（照明装置１００）
図１および図２を参照して、本実施の形態における照明装置１００の全体構成について説明する。図１は、照明装置１００を示す平面図である。図２は、図１中におけるＩＩ−ＩＩ線に沿った矢視断面図である。
【００１１】
図１および図２に示すように、照明装置１００は、第１層１０（図２参照）と、第１層１０の裏面側に配置された第２層２０（図２参照）とを備える。図１において、第２層２０の照明パネル２０Ａには、外部の電源回路（図示せず）等と照明パネル２０Ａの電極部２８とを電気的に接続する接続配線５２Ａが複数本配置され、また照明パネル２０Ａと照明パネル２０Ｂとの間には、夫々の電極部２９と電極部２８とを電気的に接続する接続配線５２Ｂが複数本配置されている。図１では示されていないが、同様の複数の接続配線が、第１層１０においても配置されている。
【００１２】
（第１層１０）
図２に示すように、第１層１０は、照明パネル１０Ａ，１０Ｂ，１０Ｃ、透明スペーサーパネル３１Ａ，３１Ｂ、基板４１、拡散面４３、および接続配線５１，５１Ａ，５１Ｂ，５１Ｃを含む。
【００１３】
本実施の形態における照明パネル１０Ａ，１０Ｂ，１０Ｃは、有機ＥＬ（Organic  Electroluminescence）からそれぞれ構成される。照明パネル１０Ａ，１０Ｂ，１０Ｃは、発光面１１Ａ，１１Ｂ，１１Ｃが各々の表面側に設けられるとともに、有機層１４が各々の内部に設けられる。照明パネル１０Ａ，１０Ｂ，１０Ｃの更なる詳細な構造については、図３および図４を参照して後述する。
【００１４】
基板４１は、板状に形成される。基板４１は、アクリルまたはガラス等の透明性を有する部材から構成される。照明パネル１０Ａ，１０Ｂ，１０Ｃは、略同一に構成され、基板４１上に載置される。照明パネル１０Ａ，１０Ｂ，１０Ｃは、基板４１上において所定の間隔を空けて互いに平行な位置関係となるように配置される。
【００１５】
透明スペーサーパネル３１Ａ，３１Ｂは、板状に形成される。透明スペーサーパネル３１Ａ，３１Ｂも、アクリルまたはガラス等の透明性を有する部材から構成される。透明スペーサーパネル３１Ａ，３１Ｂは、略同一の形状を有し、基板４１上に載置される。照明パネル１０Ａ（第１照明パネル）および照明パネル１０Ｂの間に、透明スペーサーパネル３１Ａ（第１透明スペーサーパネル）が設けられる。照明パネル１０Ｂおよび照明パネル１０Ｃの間に、透明スペーサーパネル３１Ｂが設けられる。照明パネルおよび透明スペーサーパネルは、基板４１上において交互に並んだ状態で平面状に配列されている。
【００１６】
照明パネル１０Ａ，１０Ｂ，１０Ｃおよび透明スペーサーパネル３１Ａ，３１Ｂは、並んで配置されることによって全体として面状に構成された状態で、高い透明性を有する接着剤テープ（ＯＣＡ：Optical  Clear  Adhesive  Tape）（図示せず）などを用いて基板４１上に貼付および固定される。基板４１の表面のうちの照明パネル１０Ａ，１０Ｂ，１０Ｃおよび透明スペーサーパネル３１Ａ，３１Ｂが載置される側とは反対側の表面に、光拡散性を有する拡散面４３が設けられる。
【００１７】
照明パネル１０Ａ，１０Ｂ，１０Ｃの各々は、各照明パネルに給電するための陽極用の電極部１８と陰極用の電極部１９とを有する。電極部１８は、照明パネル１０Ａ，１０Ｂ，１０Ｃの各々における一方の外縁部に形成され、電極部１９は、照明パネル１０Ａ，１０Ｂ，１０Ｃの各々における他方の外縁部に形成される。
【００１８】
接続配線５１，５１Ａ，５１Ｂ，５１Ｃは、銅線などから構成される。接続配線５１は、外部の電源回路（図示せず）等と照明パネル１０Ａの電極部１８とを互いに電気的に接続する。接続配線５１Ａは、照明パネル１０Ａの電極部１９と照明パネル１０Ｂ（他の機器）の電極部１８とを互いに電気的に接続する。接続配線５１Ｂは、照明パネル１０Ｂの電極部１９と照明パネル１０Ｃの電極部１８とを互いに電気的に接続する。接続配線５１Ｃは、外部の電源回路（図示せず）等と照明パネル１０Ｃの電極部１９とを互いに電気的に接続する。各接続配線と各電極部とは、銀ペーストなどを用いて互いに固定される。
【００１９】
照明パネル１０Ａ，１０Ｂ，１０Ｃは、接続配線５１，５１Ａ，５１Ｂ，５１Ｃを通して互いに直列接続される。接続配線５１Ａは、透明スペーサーパネル３１Ａ上に配置され、必要に応じて透明スペーサーパネル３１Ａ上に接着などによって固定されるとよい。接続配線５１Ｂも、透明スペーサーパネル３１Ｂ上に配置され、必要に応じて透明スペーサーパネル３１Ｂ上に接着などによって固定されるとよい。
【００２０】
（第２層２０）
図１および図２に示すように、第２層２０は、照明パネル２０Ａ，２０Ｂ、透明スペーサーパネル３２Ａ，３２Ｂ、３２Ｃ、基板４２、拡散面４４、および接続配線５２Ａ，５２Ｂ，５２Ｃを含む。第２層２０は、第１層１０の裏面側（発光面１１Ａ，１１Ｂ，１１Ｃとは反対側）に積層されるように配置される。
【００２１】
照明パネル２０Ａ，２０Ｂも、有機ＥＬからそれぞれ構成される。照明パネル２０Ａ，２０Ｂは、発光面２１Ａ，２１Ｂが各々の表面側に設けられるとともに、有機層２４が各々の内部に設けられる。照明パネル２０Ａ，２０Ｂの更なる詳細な構造については、図３および図４を参照して後述する。
【００２２】
基板４２は、板状に形成される。基板４２は、アクリルまたはガラス等の透明性を有する部材から構成される。照明パネル２０Ａ，２０Ｂは、略同一に構成され、基板４２上に載置される。照明パネル２０Ａ，２０Ｂは、基板４２上において所定の間隔を空けて互いに平行な位置関係となるように配置される。
【００２３】
透明スペーサーパネル３２Ａ，３２Ｂ，３２Ｃは、板状に形成される。透明スペーサーパネル３２Ａ，３２Ｂ，３２Ｃも、アクリルまたはガラス等の透明性を有する部材から構成される。透明スペーサーパネル３２Ａ，３２Ｂ，３２Ｃは、略同一の形状を有し、基板４２上に載置される。透明スペーサーパネル３２Ａ（第２透明スペーサーパネル）および透明スペーサーパネル３２Ｂの間に、照明パネル２０Ａ（第２照明パネル）が設けられる。透明スペーサーパネル３２Ｂおよび透明スペーサーパネル３２Ｃの間に、照明パネル２０Ｂが設けられる。照明パネルおよび透明スペーサーパネルとしては、基板４２上において交互に並んだ状態で平面状に配列されている。
【００２４】
照明パネル２０Ａ，２０Ｂおよび透明スペーサーパネル３２Ａ，３２Ｂ，３２Ｃは、並んで配置されることによって全体として面状に構成された状態で、高い透明性を有する接着剤テープ（ＯＣＡ）（図示せず）などを用いて基板４２上に貼付および固定される。基板４２の表面のうちの照明パネル２０Ａ，２０Ｂおよび透明スペーサーパネル３２Ａ，３２Ｂ，３２Ｃが載置される側とは反対側の表面に、光拡散性を有する拡散面４４が設けられる。
【００２５】
照明パネル２０Ａ，２０Ｂの各々は、各照明パネルに給電するための陽極用の電極部２８と陰極用の電極部２９とを有する。電極部２８は、照明パネル２０Ａ，２０Ｂの各々における一方の外縁部に形成され、電極部２９は、照明パネル２０Ａ，２０Ｂの各々における他方の外縁部に形成される。
【００２６】
接続配線５２Ａ，５２Ｂ，５２Ｃは、銅線などから構成される。接続配線５２Ａは、外部の電源回路（図示せず）等と照明パネル２０Ａの電極部２８とを互いに電気的に接続する。接続配線５２Ｂは、照明パネル２０Ａの電極部２９と照明パネル２０Ｂの電極部２８とを互いに電気的に接続する。接続配線５２Ｃは、外部の電源回路（図示せず）等と照明パネル２０Ｂの電極部２９とを互いに電気的に接続する。各接続配線と各電極部とは、銀ペーストなどを用いて互いに固定される。
【００２７】
照明パネル２０Ａ，２０Ｂは、接続配線５２Ａ，５２Ｂ，５２Ｃを通して互いに直列接続される。接続配線５２Ａは、透明スペーサーパネル３２Ａ上に配置され、必要に応じて透明スペーサーパネル３２Ａ上に接着などによって固定されるとよい。接続配線５２Ｂも、透明スペーサーパネル３２Ｂ上に配置され、必要に応じて透明スペーサーパネル３２Ｂ上に接着などによって固定されるとよい。接続配線５２Ｃも、透明スペーサーパネル３２Ｃ上に配置され、必要に応じて透明スペーサーパネル３２Ｃ上に接着などによって固定されるとよい。
【００２８】
（照明パネル１０Ａ，１０Ｂ，１０Ｃ）
図３および図４を参照して、照明パネル１０Ａ，１０Ｂ，１０Ｃについて説明する。照明パネル１０Ｂ，１０Ｃは、照明パネル１０Ａと同一に構成されるため、ここでは照明パネル１０Ａについてのみ説明する。図３は、照明パネル１０Ａを示す平面図である。図４は、図３中におけるＩＶ−ＩＶ線に沿った矢視断面図である。図３および図４において、括弧書きで示される参照符号については、照明パネル２０Ａに対応するものであり、詳細は後述する。
【００２９】
図３および図４に示すように、照明パネル１０Ａは、有機ＥＬを含む発光手段である。照明パネル１０Ａは、透明基板１２（カバー層）、陽極１３、有機層１４、陰極１５、封止部材１６、絶縁層１７、および、発光面１１Ａ（第１発光面）を含む。陽極１３、有機層１４、および陰極１５は、透明基板１２の表面に順次積層される。
【００３０】
透明基板１２は、たとえば各種のガラス基板から構成される。透明基板１２を構成する部材としては、ＰＥＴ（Polyethylene  Terephthalate）またはポリカーボネイト等のフィルム基板が用いられてもよい。発光面１１Ａは、透明基板１２の表面に形成される。
【００３１】
陽極１３は、透明性を有する導電膜である。陽極１３を形成するためには、スパッタリング法等によって、ＩＴＯ（Indium  Tin  Oxide：インジウム錫酸化物）等が透明基板１２上に成膜される。フォトリソグラフィ法等によりＩＴＯ膜が所定の形状にパターニングされることによって、陽極１３が形成される。本実施の形態における陽極１３は、電極部１８および電極部１９を形成するために、パターニングによって２つの領域に分割されている。
【００３２】
有機層１４（発光部）は、電力が供給されることによって光（可視光）を生成することができる。有機層１４は、単層の発光層から構成されていてもよく、正孔輸送層、発光層、正孔阻止層、および電子輸送層などが順次積層されることによって構成されていてもよい。
【００３３】
陰極１５は、たとえばアルミニウム（ＡＬ）である。陰極１５は、真空蒸着法等によって有機層１４を覆うように形成される。陰極１５を所定の形状にパターニングするために、真空蒸着の際にはマスクが用いられるとよい。
【００３４】
本実施の形態においては、陰極１５と陽極１３とが短絡しないように、陰極１５と電極部１８側の陽極１３との間に絶縁層１７が設けられる。陰極１５の絶縁層１７が設けられる側とは反対側の部分は、電極部１９側の陽極１３に接続される。絶縁層１７は、たとえばスパッタリング法を用いてＳｉＯ２などが成膜された後、フォトリソグラフィ法等を用いて陽極１３と陰極１５とを互いに絶縁する箇所を覆うように所望のパターンに形成される。
【００３５】
封止部材１６は、絶縁性を有する樹脂などから構成される。封止部材１６は、有機層１４を水分等から保護するために形成され、密封性が高く絶縁性を有する材料であれば何でもよい。封止部材１６は、陽極１３、有機層１４、および陰極１５（照明パネル１０Ａの内部に設けられる部材）の略全体を透明基板１２上に封止する。陽極１３の一部は、電気的な接続のために、封止部材１６から露出している。
【００３６】
陽極１３の封止部材１６から露出している（図４左側の）部分は、電極部１８を構成する。電極部１８と陽極１３とは互いに同じ材料で構成される。電極部１８は、照明パネル１０Ａの外縁部に位置する。陽極１３の封止部材１６から露出している（図４右側の）部分は、電極部１９を構成する。電極部１９と陽極１３とは互いに同じ材料で構成される。電極部１９も、照明パネル１０Ａの外縁部に位置する。電極部１８および電極部１９は、有機層１４を挟んで相互に反対側に位置している。
【００３７】
以上のように構成される照明パネル１０Ａにおいては、有機層１４が形成されている領域に対応して発光部ＲＲが形成され、発光部ＲＲの電極部１８側に非発光部Ｒ１が形成され、そして、発光部ＲＲの電極部１９側に非発光部Ｒ２が形成される。
【００３８】
（照明パネル２０Ａ，２０Ｂ）
図３および図４を参照して、照明パネル２０Ａ，２０Ｂについて説明する。本実施の形態における照明パネル２０Ａ，２０Ｂは、照明パネル１０Ａと同一に構成される。ここでは照明パネル２０Ａについてのみ説明する。
【００３９】
図３および図４に示すように、照明パネル２０Ａは、有機ＥＬを含む発光手段である。照明パネル２０Ａは、透明基板２２（カバー層）、陽極２３、有機層２４、陰極２５、封止部材２６、絶縁層２７、および、発光面２１Ａ（第２発光面）を含む。陽極２３、有機層２４、および陰極２５は、透明基板２２の表面に順次積層される。
【００４０】
透明基板２２は、たとえば各種のガラス基板から構成される。透明基板２２を構成する部材としては、ＰＥＴ（Polyethylene  Terephthalate）またはポリカーボネイト等のフィルム基板が用いられてもよい。発光面２１Ａは、透明基板２２の表面に形成される。
【００４１】
陽極２３は、透明性を有する導電膜である。陽極２３を形成するためには、スパッタリング法等によって、ＩＴＯ（Indium  Tin  Oxide：インジウム錫酸化物）等が透明基板２２上に成膜される。フォトリソグラフィ法等によりＩＴＯ膜が所定の形状にパターニングされることによって、陽極２３が形成される。本実施の形態における陽極２３は、電極部２８および電極部２９を形成するために、パターニングによって２つの領域に分割されている。
【００４２】
有機層２４（発光部）は、電力が供給されることによって光（可視光）を生成することができる。有機層２４は、単層の発光層から構成されていてもよく、正孔輸送層、発光層、正孔阻止層、および電子輸送層などが順次積層されることによって構成されていてもよい。
【００４３】
陰極２５は、たとえばアルミニウム（ＡＬ）である。陰極２５は、真空蒸着法等によって有機層２４を覆うように形成される。陰極２５を所定の形状にパターニングするために、真空蒸着の際にはマスクが用いられるとよい。
【００４４】
本実施の形態においては、陰極２５と陽極２３とが短絡しないように、陰極２５と電極部２８側の陽極２３との間に絶縁層２７が設けられる。陰極２５の絶縁層２７が設けられる側とは反対側の部分は、電極部２９側の陽極２３に接続される。絶縁層２７は、たとえばスパッタリング法を用いてＳｉＯ２などが成膜された後、フォトリソグラフィ法等を用いて陽極２３と陰極２５とを互いに絶縁する箇所を覆うように所望のパターンに形成される。
【００４５】
封止部材２６は、絶縁性を有する樹脂などから構成される。封止部材２６は、有機層２４を水分等から保護するために形成され、密封性が高く絶縁性を有する材料であれば何でもよい。封止部材２６は、陽極２３、有機層２４、および陰極２５（照明パネル２０Ａの内部に設けられる部材）の略全体を透明基板２２上に封止する。陽極２３の一部は、電気的な接続のために、封止部材２６から露出している。
【００４６】
陽極２３の封止部材２６から露出している（図４左側の）部分は、電極部２８を構成する。電極部２８と陽極２３とは互いに同じ材料で構成される。電極部２８は、照明パネル２０Ａの外縁部に位置する。陽極２３の封止部材２６から露出している（図４右側の）部分は、電極部２９を構成する。電極部２９と陽極２３とは互いに同じ材料で構成される。電極部２９も、照明パネル２０Ａの外縁部に位置する。電極部２８および電極部２９は、有機層２４を挟んで相互に反対側に位置している。
【００４７】
以上のように構成される照明パネル２０Ａにおいては、有機層２４が形成されている領域に対応して発光部ＲＲが形成され、発光部ＲＲの電極部２８側に非発光部Ｒ１が形成され、そして、発光部ＲＲの電極部２９側に非発光部Ｒ２が形成される。
【００４８】
（第１層１０および第２層２０）
図２を再び参照して、第１層１０および第２層２０における照明パネルと透明スペーサーパネルとの配置関係を説明する。第１層１０の発光面側から見て透明スペーサーパネル３１Ａに重なるように照明パネル２０Ａが配置されることによって、照明パネル２０Ａ（発光面２１Ａ）から出射された光が透明スペーサーパネル３１Ａを透過する。さらに、第１層１０および第２層２０において、第１層１０の発光面側から見て透明スペーサーパネル３１Ｂに重なるように照明パネル２０Ｂが配置されることによって、照明パネル２０Ｂ（発光面２１Ｂ）から出射された光が透明スペーサーパネル３１Ｂを透過する。
【００４９】
図５は、照明装置１００が駆動されている際の様子を示す断面図である。上述のとおり、照明装置１００においては、第１層１０の上に第２層２０が積層されている。
【００５０】
照明パネル１０Ａの有機層１４において生成された光は、発光面１１Ａ（第１発光面）、基板４１、および拡散面４３を通して外部に取り出される（図５中の白抜き矢印参照）。照明パネル１０Ｂの有機層１４において生成された光も、発光面１１Ｂ、基板４１、および拡散面４３を通して外部に取り出される（図５中の白抜き矢印参照）。
【００５１】
照明パネル２０Ａの有機層２４において生成された光は、発光面２１Ａ（第２発光面）、基板４２、拡散面４４、透明スペーサーパネル３１Ａ、基板４１、および拡散面４３を通して外部に取り出される（図５中の白抜き矢印参照）。これらについては、照明パネル１０Ａ，１０Ｂ，１０Ｃ，２０Ａ，２０Ｂの各々において同様である。
【００５２】
ここで、照明装置１００においては、照明パネル１０Ａにおける非発光部Ｒ２と照明パネル２０Ａにおける非発光部Ｒ１とが互いに（投影視において）重なるように配置されている。同様に、照明パネル１０Ｂにおける非発光部Ｒ１と照明パネル２０Ａにおける非発光部Ｒ２とが互いに（投影視において）重なるように配置されている。これらの関係は、第１層１０および第２層２０の全体（照明パネル１０Ａ，１０Ｂ，１０Ｃ，２０Ａ，２０Ｂの各々の非発光部Ｒ１，Ｒ２）を通して共通している。
【００５３】
すなわち、照明装置１００においては、照明装置１００を最終的に光が取出される面側から見た場合（図５の下方から照明装置１００を見上げた場合）、発光部ＲＲ（図４参照）が大きく確保されるとともに、非発光部Ｒ１，Ｒ２の面積（投影面積）が最小となるように構成されている。
【００５４】
図６は、実施の形態１における照明装置１００に対する比較例としての照明装置１００Ｚを示す断面図である。照明装置１００Ｚにおいては、照明パネル１０Ａ，１０Ｂ，１０Ｃが基板４１上において隣接して並んで配列されている。照明装置１００Ｚは、実施の形態１における照明装置１００（図２参照）とは異なり第１層１０および第２層２０からなる２層構造を有していない。
【００５５】
照明装置１００Ｚにおいては、非発光部Ｒ１および非発光部Ｒ２同士が同一面内において互いに隣り合っている。非発光部Ｒ１および非発光部Ｒ２によって形成される非発光部としての面積（投影面積）は、照明装置１００Ｚの方が、照明装置１００（図５参照）に比べて大きい。照明装置１００Ｚの構造においては、非発光部の面積が広く設けられているため、単位面積当たりの発光効率が低く、輝度ムラも発生しやすい。
【００５６】
これに対して、照明装置１００（図５参照）においては、第１層１０および第２層２０からなる２層構造が効果的に活用されることによって、非発光部Ｒ１，Ｒ２の面積が最小となるように構成され、単位面積当たりの高い発光効率が得られているとともに、輝度ムラの発生も抑制されている。
【００５７】
したがって本実施の形態における照明装置１００によれば、複数の照明パネルを用いて発光面積を大型化する場合であっても、各照明パネル同士が透明スペーサーパネルによって締結されているため安定した強度が得られるとともに、第１層１０における非発光部と第２層２０における非発光部同士が互いに（投影視において）重なるように配置されることによって、単位面積当たりの高い発光効率が得られているとともに、輝度ムラの発生を抑制することが可能となっている。
【００５８】
照明パネル１０Ａ，１０Ｂ，１０Ｃおよび照明パネル２０Ａ，２０Ｂを同一の構成とするとともに、透明スペーサーパネル３１Ａ，３１Ｂ，３２Ａ，３２Ｂ，３２Ｃを同一の構成とすることによって、製造費用を低減し、取り扱いを容易にすることもできる。
【００５９】
第１層１０の照明パネル１０Ａ，１０Ｂ，１０Ｃの間に、それぞれ透明スペーサーパネル３１Ａ，３１Ｂを配置する構成とし、第２層２０の照明パネル２０Ａ，２０Ｂの間に、透明スペーサーパネル３２Ｂを配置する構成としているため、隣り合う照明パネルの間隔を調整する必要がない。また、共通の基板４１，４２上に照明パネルと透明スペーサーパネルとを順に配置していくため、照明パネルやスペーサーパネルが傾くこともなく、同一平面上に精度よく配置し、保持することができる。このように、本実施の形態の構成によると、取り付け作業が簡単になるだけでなく、配置精度を高くすることができる。
【００６０】
更に、接続配線５１，５１Ａ，５１Ｂ，５１Ｃを透明スペーサーパネル３１Ａ，３１Ｂの上に配置し、接続配線５２Ｂを透明スペーサーパネル３２Ｂの上に配置するため、配線を実施する際の作業が容易になり、配線の形状が変形することによる機能低下の惧れも少なくなる。特に、本実施の形態のように、第１層１０の照明パネルの発光面側の電極（陽極１３）にＩＴＯを用いた場合、ＩＴＯ自体の電気抵抗値が高いため、電気接続部が少ないと照明パネル内の発光ムラが生じる惧れがある。この発光ムラを防ぐために、上述したとおり、各照明パネルに複数の電気接続部および接続配線を配置することが望ましい。一方で、第１層１０の透明スペーサーパネル上に配置される接続配線は、第１層１０の照明パネルの発光面側から透けて見えたり、第２層２０の照明パネルからの光を遮って明るさを低下させたりする可能性があるため、接続配線はできるだけ細い方が望ましい。本実施の形態のように、透明スペーサーパネル上に接続配線を配置する構成であれば、接続配線が細くてもその取付作業が容易になる。
【００６１】
照明装置１００においては、基板４１の下面側に拡散面４３が配置され、さらに基板４２の下面側にも拡散面４４が配置されることにより、輝度ムラの発生が効果的に抑制され、均一な発光を実現することも可能となっている。より均一な発光を実現するためには、第２層２０から出射される光の輝度を第１層１０から出射される光の輝度よりも大きくするとよい。この目的のためには、各照明パネルに供給する電流値を制御すればよい。照明装置１００としては、拡散面４３および拡散面４４の双方が用いられるが、いずれか一方のみが用いられてもよい。
【００６２】
［実施の形態２］
図７は、本実施の形態における照明装置１００Ａを示す断面図である。照明パネル２０Ａ（第２照明パネル）は、透明スペーサーパネル３１Ａ（第１透明スペーサーパネル）よりも幅広に形成されている。上述の実施の形態１と同様に、照明パネル１０Ｂの陽極１３Ａは、透明性（光透過性）を有する導電膜であり、電極部１８を構成する。照明パネル１０Ａの陰極１３Ｂも、透明性（光透過性）を有する導電膜であり、電極部１９を構成する。照明装置１００Ａにおいては、上述の実施の形態１における封止部材１６の代わりに、封止部材１６Ａが用いられる。封止部材１６Ａは、ガラス基板等の光透過性を有する材料から構成される。
【００６３】
照明装置１００Ａにおいては、第１層１０および第２層２０が、照明パネル２０Ａから出射された光が電極部１８，１９および封止部材１６Ａを透過するように配置される。具体的には、第２層２０を構成する照明パネル２０Ａは、透明スペーサーパネル３１Ａに対して、上述の実施の形態１の場合に比べて幅広に形成される。照明パネル２０Ａの有機層２４は、照明パネル１０Ａにおける非発光部Ｒ２および照明パネル１０Ｂにおける非発光部Ｒ１と投影視において重なっている。
【００６４】
当該構成によれば、照明パネル２０Ａの有機層２４において生成された光は、発光面２１Ａ（第２発光面）、基板４２、拡散面４４、透明スペーサーパネル３１Ａ、基板４１、および拡散面４３を通して外部に取り出されるだけでなく、発光面２１Ａ（第２発光面）、基板４２、拡散面４４、封止部材１６Ａ、陽極１３Ａ（陰極１３Ｂ）、透明基板１２、基板４１、および拡散面４３を通しても外部に取り出されることが可能となる。これらについては、照明パネル２０Ｂ（図２等参照）についても同様である。
【００６５】
光透過性を有する陽極１３Ａおよび陰極１３Ｂによって電極部１８，１９を構成するとともに、光透過性を有する封止部材１６Ａを用いることによって、照明パネル２０Ａから出射された光が透過する範囲を増加させることができる。したがって照明装置１００Ａによれば、単位面積当たりの発光効率をさらに向上させることができるとともに、輝度ムラの発生をより抑制することが可能となっている。
【００６６】
本実施の形態においては、光透過性を有する陽極１３Ａおよび陰極１３Ｂによって電極部１８，１９を構成するとともに、光透過性を有する封止部材１６Ａが用いられる。これに対して、光透過性を有する陽極１３Ａおよび陰極１３Ｂによって電極部１８，１９を構成し、光を透過しない樹脂などから構成される封止部材１６を用いた場合であっても、基板４２およびまたは拡散面４４などによって反射した光が電極部１８，１９を透過することによって、単位面積当たりの発光効率を向上させることができるとともに、輝度ムラの発生を抑制することが可能となる。また、光透過性を有しない部材によって電極部１８，１９を構成し、本実施の形態のように光透過性を有する封止部材１６Ａを用いた場合であっても、基板４２およびまたは拡散面４４などによって反射した光が封止部材１６Ａを透過することによって、単位面積当たりの発光効率を向上させることができるとともに、輝度ムラの発生を抑制することが可能となる。
【００６７】
［実施の形態３］
図８は、本実施の形態における照明装置１００Ｂを示す断面図である。照明装置１００Ｂのように、照明パネル２０Ａの有機層２４は、照明パネル１０Ａにおける非発光部Ｒ２および照明パネル１０Ｂにおける非発光部Ｒ１と投影視において重ならないように形成されてもよい。図８では、透明スペーサーパネル３１Ａ（第１透明スペーサーパネル）は、照明パネル２０Ａ（第２照明パネル）よりも幅広に形成されており、透明スペーサーパネル３１Ａの両端部と照明パネル２０Ａの非発光部とが、第１層１０の発光面側から見て重なるように配置されている。
【００６８】
当該構成によっても、基板４２を通過し、更に拡散面４４によって拡散された光が封止部材１６Ａを透過することによって、単位面積当たりの発光効率を向上させることができるとともに、輝度ムラの発生を抑制することが可能となる。これらについては、照明パネル２０Ｂ（図２等参照）についても同様である。この構成では、同一面積に対して使用するパネル数を減らすことができ、照明器具の製造コストを削減することができる。
【００６９】
［実施の形態４］
図９は、本実施の形態における照明装置１００Ｃに用いられる第１層１０を示す平面図である。図示上の便宜のため、図９においては照明装置１００Ｃに用いられる第２層２０は図示されていない。上述の各実施の形態においては、図１を参照して説明したように、隣り合う照明パネル同士の電極部（電極部１８，１９および電極部２８，２９）を接続するように、透明スペーサーパネル上に銅線などを配置して両端をそれぞれ電極部上で導通を確保できるように銀ペーストなどの導電性部材で固定する。
【００７０】
照明パネル内の輝度ムラの影響を考慮した場合、照明パネル内の電圧差が生じにくいように、複数の接続箇所を設けることが望ましいが、第１層１０側の配線では配線により第２層２０からの光を塞ぐことになるため、第１層１０側の接続配線５１Ａ（図２等参照）等としてはできるだけ細い配線を使用することが望ましい。
【００７１】
本実施の形態における照明装置１００Ｃにおいては、メッシュ状に形成された接続配線５１ＡＡが用いられる。接続配線５１ＡＡは、導電性を有する材料を含む薄板に対して穴開け加工などが実施されることによって作成される。この板は、形状を維持できる剛性の材料で形成されているので、接続配線５１ＡＡによれば、配線を一つずつ実施する必要がなく、組立性が高くなる。また配線を細くすることが可能になり、第２層２０からの光を遮る程度を抑えることができる。配線作業の容易化のためには、第２層２０側においても接続配線５１ＡＡと同様の形状を有する接続配線が用いられるとよい。
【００７２】
以上、本発明に基づいた各実施の形態について説明したが、今回開示された各実施の形態はすべての点で例示であって制限的なものではない。本発明の技術的範囲は請求の範囲によって示され、請求の範囲と均等の意味および範囲内でのすべての変更が含まれることが意図される。
【符号の説明】
【００７３】
１０  第１層、１０Ａ  照明パネル（第１照明パネル）、１０Ｂ，１０Ｃ，２０Ｂ  照明パネル、１１Ａ  発光面（第１発光面）、１１Ｂ，１１Ｃ，２１Ｂ  発光面、１２，２２  透明基板、１３，１３Ａ，２３  陽極、１４，２４  有機層、１３Ｂ，１５，２５  陰極、１６，１６Ａ，２６  封止部材、１７，２７  絶縁層、１８，１９，２８，２９  電極部、２０  第２層、２０Ａ  照明パネル（第２照明パネル）、２１Ａ  発光面（第２発光面）、３１Ａ  透明スペーサーパネル（第１透明スペーサーパネル）、３１Ｂ，３２Ｂ，３２Ｃ  透明スペーサーパネル、３２Ａ  透明スペーサーパネル（第２透明スペーサーパネル）、４１，４２  基板、４３，４４  拡散面、５１，５１Ａ，５１ＡＡ，５１Ｂ，５１Ｃ，５２Ａ，５２Ｂ，５２Ｃ，５５  接続配線、１００，１００Ａ，１００Ｂ，１００Ｃ，１００Ｚ  照明装置、Ｒ１，Ｒ２  非発光部、ＲＲ  発光部。
【図１】
2013077232.tif 000003
【図２】
2013077232.tif 000004
【図３】
2013077232.tif 000005
【図４】
2013077232.tif 000006
【図５】
2013077232.tif 000007
【図６】
2013077232.tif 000008
【図７】
2013077232.tif 000009
【図８】
2013077232.tif 000010
【図９】
2013077232.tif 000011
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
第１発光面が表面側に設けられた第１照明パネル、および、第１透明スペーサーパネルを含み、前記第１照明パネルおよび前記第１透明スペーサーパネルが並んで配置されることによって全体として面状に構成された第１層と、
第２発光面が表面側に設けられた第２照明パネル、および、第２透明スペーサーパネルを含み、前記第２照明パネルおよび前記第２透明スペーサーパネルが並んで配置されることによって全体として面状に構成された第２層と、を備え、
前記第２層は、前記第１層の裏面側に配置され、
前記第１層および前記第２層は、前記第２照明パネルと前記第１透明スペーサーパネルとが前記第１発光面側から見て重なるように配置され、前記第２照明パネルから出射された光が前記第１透明スペーサーパネルを透過し、
前記第１透明スペーサーパネル上には、前記第１照明パネルと他の機器とを互いに電気的に接続する接続配線が設けられることを特徴とする、
照明器具。
【請求項２】
前記接続配線は、導電性を有する剛性材料から成るメッシュ状の部材であることを特徴とする、
請求項１に記載の照明器具。
【請求項３】
前記第１照明パネルは、前記第１照明パネルに給電するための電極部を前記第１照明パネルの外縁部に有し、
前記電極部は、光透過性を有し、
前記第２照明パネルから出射された光が前記電極部を透過することを特徴とする、
請求項１または２に記載の照明器具。
【請求項４】
前記第１照明パネルは、前記第１照明パネルの内部に設けられる部材を封止する封止部材を有し、
前記封止部材は、光透過性を有し、
前記第２照明パネルから出射された光が前記封止部材を透過することを特徴とする、
請求項１から３のいずれかに記載の照明器具。
【請求項５】
前記第１照明パネルおよび前記第１透明スペーサーパネルは、透明性を有する基板上に載置され、
前記基板の表面のうちの前記第１照明パネルおよび前記第１透明スペーサーパネルが載置される側とは反対側の表面には、光拡散性を有する拡散面が設けられることを特徴とする、
請求項１から４のいずれかに記載の照明器具。
【請求項６】
前記第２照明パネルおよび前記第２透明スペーサーパネルは、透明性を有する他の基板上に載置され、
前記他の基板の表面のうちの前記第２照明パネルおよび前記第２透明スペーサーパネルが載置される側とは反対側の表面には、光拡散性を有する他の拡散面が設けられることを特徴とする、
請求項１から５のいずれかに記載の照明器具。
【請求項７】
前記第１照明パネルおよび前記第２照明パネルは、非発光部を各々の外縁部に有し、
前記第１層および前記第２層は、前記第１照明パネルにおける前記非発光部と前記第２照明パネルにおける前記非発光部とが前記第１発光面側から見て重なるように配置されることを特徴とする、
請求項１から６のいずれかに記載の照明器具。
【請求項８】
前記第１照明パネルおよび前記第２照明パネルは、非発光部を各々の外縁部に有し、
前記第１層および前記第２層は、前記第１照明パネルにおける前記非発光部と前記第２照明パネルにおける前記非発光部とが前記第１照明パネルの前記第１発光面側から見て重ならないように配置されていることを特徴とする、
請求項１から６のいずれかに記載の照明器具。
【請求項９】
前記第１照明パネルおよび前記第２照明パネルは、夫々の前記非発光部の内側に形成される発光部を有し、
前記第２照明パネルは、前記第１透明スペーサーパネルより幅広であり、
前記第１層および前記第２層は、前記第２照明パネルの前記非発光部と前記第１透明スペーサーパネルと隣接する前記第１照明パネルの前記非発光部とが前記第１発光面側から見て重なるように配置されることを特徴とする、
請求項８に記載の照明器具。
【請求項１０】
前記第１照明パネルおよび前記第２照明パネルは、夫々の前記非発光部の内側に形成される発光部を有し、
前記第１透明スペーサーパネルは、前記第２照明パネルより幅広であり、
前記第１層および前記第２層は、前記第１透明スペーサーパネルの両端部と前記第２照明パネルの前記非発光部とが前記第１発光面側から見て重なるように配置されることを特徴とする、
請求項８に記載の照明器具。
【請求項１１】
前記第１照明パネルおよび前記第２照明パネルは、夫々、有機ＥＬ層を含むことを特徴とする、
請求項１から１０のいずれかに記載の照明器具。
【手続補正２】
【補正対象書類名】明細書
【補正対象項目名】０００６
【補正方法】変更
【補正の内容】
【０００６】
本発明に基づく照明器具は、第１発光面が表面側に設けられた第１照明パネル、および、第１透明スペーサーパネルを含み、上記第１照明パネルおよび上記第１透明スペーサーパネルが並んで配置されることによって全体として面状に構成された第１層と、第２発光面が表面側に設けられた第２照明パネル、および、第２透明スペーサーパネルを含み、上記第２照明パネルおよび上記第２透明スペーサーパネルが並んで配置されることによって全体として面状に構成された第２層と、を備え、上記第２層は、上記第１層の裏面側に配置され、上記第１層および上記第２層は、上記第２照明パネルと上記第１透明スペーサーパネルとが上記第１発光面側から見て重なるように配置され、上記第２照明パネルから出射された光が上記第１透明スペーサーパネルを透過し、上記第１透明スペーサーパネル上には、上記第１照明パネルと他の機器とを互いに電気的に接続する接続配線が設けられることを特徴とする。
【国際調査報告】
2013077232.tif 000012
2013077232.tif 000013
2013077232.tif 000014
2013077232.tif 000015